(57)【要約】【課題】出棺等に際する支持要員の支持による移動が容易で、支持要員の負担を軽減することが可能な棺桶を提供する。【解決手段】  棺桶１は、長方形底板２と、この底板２の左右両端に固定立設されて長手Ｌ方向にのびる左右の側板３，３と、底板２の前後両端に固定立設されて短手Ｗ方向にのびる前後の面板４，４とを備え、この棺桶１の水平な下面１Ａに含まれる各側板３，３の下面３Ａに長手Ｌ方向に延在して設けた上向きに凹入する掛止溝７Ａと、棺桶１の水平な下面１Ａに含まれる各面板４，４の下面４Ａに短手Ｗ方向に延在して設けた上向きに凹入する掛止溝７Ｂとで指先掛止部５を構成し、この指先掛止部５に支持要員の支持指を掛止して支持する。【選択図】図９
0003213793.tif 000002
【実用新案登録請求の範囲】
【請求項１】
長方形底板と、この底板の左右両端に固定立設されて長手方向にのびる左右の側板と、当該底板の前後両端に固定立設されて短手方向にのびる前後の面板と、を備える棺桶において、
当該棺桶の下面に指先掛止部が設けられていることを特徴とする棺桶。
【請求項２】
請求項１に記載した棺桶において、
前記指先掛止部は、上げ底構造の底板の下面よりも下向きに突出する各側板の下端部および各面板の下端部で構成されている棺桶。
【請求項３】
請求項１に記載した棺桶において、
底板の下面と、各側板の下面および各面板の下面からなる棺桶の下面が水平であり、前記指先掛止部は、底板左右両端の下面側コーナーに長手方向に延在して施した面取りと、この面取りに臨む各側板の下端部内面とのペアからなり上向きに凹入して長手方向に延在する掛止溝、及び、底板前後両端の下面側コーナーに短手方向に延在して施した面取りと、この面取りに臨む各面板の下端部内面とのペアからなり上向きに凹入して短手方向に延在する掛止溝、の少なくとも一方の掛止溝で構成されている棺桶。
【請求項４】
請求項１に記載した棺桶において、
底板の下面と、各側板の下面および各面板の下面からなる棺桶の下面が水平であり、前記指先掛止部は、各側板の下面に長手方向に延在して設けた上向きに凹入する掛止溝、及び、各面板の下面に短手方向に延在して設けた上向きに凹入する掛止溝、の少なくとも一方の掛止溝で構成されている棺桶。
【請求項５】
請求項１に記載した棺桶において、
底板の下面と、各側板の下面および各面板の下面からなる棺桶の下面が水平であり、前記指先掛止部は、底板の左右両端部近傍の下面に長手方向に延在して設けた上向きに凹入する掛止溝、及び、底板の前後両端部近傍の下面に短手方向に延在して設けた上向きに凹入する掛止溝、の少なくとも一方の掛止溝で構成されている棺桶。
【考案の詳細な説明】
【技術分野】
【０００１】
本考案は棺桶に係り、さらに詳しくは、出棺等に際する支持要員の支持による移動が容易で、支持要員の負担を軽減することが可能な棺桶に関する。
【背景技術】
【０００２】
従来より周知の標準的な棺桶は、長方形底板と、この底板の左右両端に固定立設されて棺桶の長手方向にのびる左右の側板と、当該底板の前後両端に固定立設されて棺桶の短手方向にのびる前後の面板とを備え、底板の下面と、各側板の下面および各面板の下面からなる棺桶の下面が水平な箱型のもので、上面の開口には蓋が嵌合される。
【０００３】
ところで、被葬者が納棺された棺桶の出棺等に際する移動が、例えば複数縁故者の支持によりなされる場合、通常、各側板に寄り添って複数かつ同数の縁故者を並列配置し、各縁故者の親指を除いた各指［以下の説明では、「各指」を「支持指」という］で棺桶の左右両端部下面が支持される。
【０００４】
ところが、棺桶は、高品質かつ平滑度の高い板材で構成されている上に、下面が水平であるので、棺桶の左右両端部下面と各縁故者の支持指との間に横方向の滑りによる相対移動が発生しやすい。そのため、縁故者の支持による移動が困難で、縁故者の負担が大きくなる。つまり、出棺等に際する支持要員の支持による移動が困難で、支持要員の負担が大きくなる。
【先行技術文献】
【特許文献】
【０００５】
【特許文献１】特になし
【考案の概要】
【考案が解決しようとする課題】
【０００６】
本考案は、上記の実情に鑑みてなされたもので、出棺等に際する支持要員の支持による移動が容易で、支持要員の負担を軽減することが可能な棺桶の提供を目的とするものである。
【課題を解決するための手段】
【０００７】
前記目的を達成するために、本考案に係る棺桶は、長方形底板と、この底板の左右両端に固定立設されて長手方向にのびる左右の側板と、当該底板の前後両端に固定立設されて短手方向にのびる前後の面板と、を備える棺桶において、当該棺桶の下面に指先掛止部が設けられていることを特徴とするものである。
【０００８】
前記構成の棺桶によれば、複数の支持要員の支持指を折り曲げて指先掛止部に掛止すれば、棺桶の下面と支持指との間に横方向の滑りによる相対移動が発生しない状態で棺桶を支持することができる。これにより、支持要員の支持による移動が容易になされ、支持要員の負担を軽減することが可能となる。
【０００９】
本考案に係る棺桶の指先掛止部は、上げ底構造の底板の下面から下向きに突出する各側板の下端部および各面板の下端部で構成されている。これによると、複数の支持要員の支持指を、指先掛止部を構成している各側板の下端部および各面板の下端部、または少なくとも各側板の下端部に掛止すれば、棺桶の下面と支持指との間に横方向の滑りによる相対移動が発生しない状態で棺桶を支持することができる。これにより、支持要員の支持による移動が容易になされ、支持要員の負担を軽減することが可能となる。
【００１０】
本考案に係る棺桶は、底板の下面と、各側板の下面および各面板の下面からなる棺桶の下面が水平であり、前記指先掛止部は、底板左右両端の下面側コーナーに長手方向に延在して施した面取りと、この面取りに臨む各側板の下端部内面とのペアからなり上向きに凹入して長手方向に延在する掛止溝、及び、底板前後両端の下面側コーナーに短手方向に延在して施した面取りと、この面取りに臨む各面板の下端部内面とのペアからなり上向きに凹入して短手方向に延在する掛止溝、の少なくとも一方の掛止溝で構成されている。これによれば、複数の支持要員の支持指を、前記上向きに凹入する掛止溝で構成された指先掛止部に掛止すれば、棺桶の下面と支持指との間に横方向の滑りによる相対移動が発生しない状態で棺桶を支持することができる。これにより、支持要員の支持による移動が容易になされ、支持要員の負担を軽減することが可能となる。
【００１１】
本考案に係る棺桶は、底板の下面と、各側板の下面および各面板の下面からなる棺桶の下面が水平であり、前記指先掛止部は、各側板の下面に長手方向に延在して設けた上向きに凹入する掛止溝、及び、各面板の下面に短手方向に延在して設けた上向きに凹入する掛止溝、の少なくとも一方の掛止溝で構成されている。これによると、複数の移動要員の支持指を、前記上向きに凹入する掛止溝で構成された指先掛止部に掛止すれば、棺桶の下面と支持指との間に横方向の滑りによる相対移動が発生しない状態で棺桶を支持することができる。これにより、支持要員の支持による移動が容易になされ、支持要員の負担を軽減することが可能となる。
【００１２】
本考案に係る棺桶は、底板の下面と、各側板の下面および各面板の下面からなる棺桶の下面が水平であり、前記指先掛止部は、底板の左右両端部近傍の下面に長手方向に延在して設けた上向きに凹入する掛止溝、及び、底板の前後両端部近傍の下面に短手方向に延在して設けた上向きに凹入する掛止溝、の少なくとも一方の掛止溝で構成されている。これによると、複数の移動要員の支持指を、前記上向きに凹入する掛止溝で構成された指先掛止部に掛止すれば、棺桶の下面と支持指との間に横方向の滑りによる相対移動が発生しない状態で棺桶を支持することができる。これにより、支持要員の支持による移動が容易になされ、支持要員の負担を軽減することが可能となる。
【考案の効果】
【００１３】
本考案の棺桶は、支持要員の支持指を指先掛止部に掛止すれば、棺桶の下面と支持指との間に横方向の滑りによる相対移動が発生しない状態で棺桶を支持することができるので、支持要員の支持による移動が容易になされ、支持要員の負担を軽減することが可能となる。
【図面の簡単な説明】
【００１４】
【図１】本考案に係る棺桶の各実施形態に適合する斜視図である。
【図２】図１の平面図である。
【図３】第１実施形態の断面図で、（ａ）は図２のＡーＡ線に沿う縦断正面図、（ｂ）は図２のＢーＢ線に沿う横断側面図である。
【図４】本考案に係る棺桶の第２実施形態の底面図である。
【図５】第２実施形態の断面図で、（ａ）は図２のＡーＡ線に沿う縦断正面図、（ｂ）は図２のＢーＢ線に沿う横断側面図である。
【図６】第２実施形態の第１変形例を示す底面図である。
【図７】第２実施形態の第２変形例を示す底面図である。
【図８】第２実施形態の第３変形例を示す底面図である。
【図９】本考案に係る棺桶の第３実施形態の底面図である。
【図１０】第３実施形態の断面図で、（ａ）は図２のＡーＡ線に沿う縦断正面図、（ｂ）は図２のＢーＢ線に沿う横断側面図である。
【図１１】第３実施形態の第１変形例を示す底面図である。
【図１２】第３実施形態の第２変形例を示す底面図である。
【図１３】第３実施形態の第３変形例を示す底面図である。
【図１４】本考案に係る棺桶の第４実施形態の底面図である。
【図１５】第４実施形態の断面図で、（ａ）は図２のＡーＡ線に沿う縦断正面図、（ｂ）は図２のＢーＢ線に沿う横断側面図である。
【図１６】第４実施形態の第１変形例を示す底面図である。
【図１７】第４実施形態の第２変形例を示す底面図である。
【図１８】第４実施形態の第３変形例を示す底面図である。
【考案を実施するための最良の形態】
【００１５】
以下、本考案に係る棺桶の好ましい実施例を図面に基づいて説明する。図１は本考案に係る棺桶の各実施形態に適合する斜視図、図２は図１の平面図、図３は第１実施形態の断面図で、（ａ）は図２のＡーＡ線に沿う縦断正面図、（ｂ）は図２のＢーＢ線に沿う横断側面図である。
【００１６】
図１、図２および図３（ａ），（ｂ）において、棺桶１は、長方形底板２と、この底板２の左右両端に固定立設されて長手Ｌ方向にのびる左右の側板３，３と、底板２の前後両端に固定立設されて短手Ｗ方向にのびる前後の面板４，４とを備え、上面を開口した箱型のもので、開口には蓋（図示省略）が嵌合される。各側板３，３の長手Ｌ方向両端部と各面板４，４の短手Ｗ方向両端との仕口、底板２の左右両端と各側板３，３下端部との仕口および底板２の前後両端と各面板４，４下端部との仕口は、釘結合や円形ほぞと円形ほぞ穴からなるほぞ結合、あるいは複数の蟻状ほぞと同数の蟻溝からなるほぞ結合などで構成されている。
【００１７】
棺桶１の下面１Ａに指先掛止部５が設けられる。棺桶１の下面１Ａは、底板２の下面２Ａと、各側板３，３の下面３Ａおよび各面板４，４の下面４Ａとで構成されており、第１実施形態の棺桶１は、各側板３，３の下面３Ａおよび各面板４，４の下面４Ａよりも底板２の下面２Ａを３ｍｍ〜５ｍｍの高さｈ相当分上位に位置決めした上げ底構造のもので、指先掛止部５は、前記高さｈに相当して底板２の下面２Ａから下向きに突出している各側板３，３の下端部３Ｅおよび各面板４，４の下端部４Ｅで構成されている。
【００１８】
前記第１実施形態の棺桶１によれば、複数の支持要員の支持指を、指先掛止部５を構成している各側板３，３の下端部３Ｅおよび各面板４，４の下端部４Ｅ、または少なくとも各側板３，３の下端部３Ｅに掛止すれば、棺桶１の下面１Ａと支持指との間に横方向の滑りによる相対移動が発生しない状態で棺桶１を支持することができる。これにより、支持要員の支持による移動が容易になされ、支持要員の負担を軽減することが可能となる。
【００１９】
つぎに、第２実施形態の棺桶について説明する。
図４は本考案に係る棺桶の第２実施形態の底面図、図５は第２実施形態の断面図で、（ａ）は図２のＡーＡ線に沿う縦断正面図、（ｂ）は図２のＢーＢ線に沿う横断側面図である。なお、前記第１実施形態の棺桶１と同一部分には同一符号を付して重複する説明は適宜省略する。
【００２０】
図１、図４および図５（ａ），（ｂ）において、第２実施形態の棺桶１は、底板２の下面２Ａと、各側板３，３の下面３Ａおよび各面板４，４の下面４Ａからなる棺桶１の下面１Ａが水平である。指先掛止部５は、底板２の左右両端下面側コーナー（短手Ｗ方向両端下面側コーナー）に長手Ｌ方向に延在して施した半径３ｍｍ〜５ｍｍの円弧状面取り６と、この円弧状面取り６に臨む各側板３，３の下端部内面３ｉとのペアからなり上向きに凹入して長手Ｌ方向に延在する掛止溝７Ａと、底板２の前後両端下面側コーナー（長手Ｌ方向両端下面側コーナー）に短手Ｗ方向に延在して施した半径３ｍｍ〜５ｍｍの円弧状面取り６と、この円弧状面取り６に臨む各面板４，４の下端部内面４ｉとのペアからなり上向きに凹入して短手Ｗ方向に延在する掛止溝７Ｂとで構成されている。
【００２１】
前記第２実施形態の棺桶１によれば、複数の支持要員の支持指を、一方の掛止溝７Ａと他方の掛止溝７Ｂとで構成した指先掛止部５に掛止すれば、棺桶１の下面１Ａと支持指との間に横方向の滑りによる相対移動が発生しない状態で棺桶１を支持することができる。これにより、支持要員の支持による移動が容易になされ、支持要員の負担を軽減することが可能となる。
【００２２】
第２実施形態の棺桶１は、図６に示すように、指先掛止部５を、一方の掛止溝７Ａのみで構成してもよい。言い換えると、指先掛止部５は、底板２の少なくとも左右両端の下面側コーナーに長手Ｌ方向に延在して施した面取り６と、この面取り６に臨む各側板３，３の下端部内面３ｉとのペアからなり上向きに凹入して長さ方向に延在する掛止溝７Ａのみで構成されている。このように、指先掛止部５を掛止溝７Ａのみで構成しても、複数の支持要員の支持指を、掛止溝７Ａのみで構成した指先掛止部５に掛止すれば、前述と同様に、支持要員の支持による移動が容易になされ、支持要員の負担を軽減することが可能となる。
【００２３】
第２実施形態の棺桶１では、図７に示すように、指先掛止部５を、所定の間隔を隔てて設けた長手Ｌ方向の寸法が小さい例えば１０個の掛止溝７Ａと、短手Ｗ方向の寸法が小さい例えば２個の掛止溝７Ｂで構成してもよい。さらに、図８に示すように、指先掛止部５を、長手Ｌ方向の寸法が小さい例えば１０個の掛止溝７Ａのみで構成してもよい。
【００２４】
つぎに、第３実施形態の棺桶について説明する。
図９は本考案に係る棺桶の第３実施形態の底面図、図１０は第３実施形態の断面図で、（ａ）は図２のＡーＡ線に沿う縦断正面図、（ｂ）は図２のＢーＢ線に沿う横断側面図である。なお、前記第１，第２実施形態の棺桶１と同一部分には同一符号を付して重複する説明は適宜省略する。
【００２５】
図１、図９および図１０（ａ），（ｂ）において、第３実施形態の棺桶１は、底板２の下面２Ａと、各側板３，３の下面３Ａおよび各面板４，４の下面４Ａからなる棺桶１の下面１Ａが水平である。指先掛止部５は、各側板３，３の下面３Ａに長手Ｌ方向に延在して設けた半径３ｍｍ〜５ｍｍの略半円状で上向きに凹入する掛止溝７Ａと、各面板４，４の下面４Ａに短手Ｗ方向に延在して設けた半径３ｍｍ〜５ｍｍの略半円状で上向きに凹入する掛止溝７Ｂとで構成されている。
【００２６】
前記第３実施形態の棺桶１によれば、複数の支持要員の支持指を、一方の掛止溝７Ａと他方の掛止溝７Ｂとで構成した指先掛止部５に掛止すれば、棺桶１の下面１Ａと支持指との間に横方向の滑りによる相対移動が発生しない状態で棺桶１を支持することができる。これにより、支持要員の支持による移動が容易になされ、支持要員の負担を軽減することが可能となる。
【００２７】
第３実施形態の棺桶１は、図１１に示すように、指先掛止部５を、一方の掛止溝７Ａのみで構成してもよい。言い換えると、指先掛止部５は、少なくとも各側板３，３の下面に長手Ｌ方向に延在して設けた上向きに凹入する掛止溝７Ａのみで構成されている。このように、指先掛止部５を掛止溝７Ａのみで構成しても、複数の支持要員の支持指を、掛止溝７Ａのみで構成した指先掛止部５に掛止すれば、前述と同様に、支持要員の支持による移動が容易になされ、支持要員の負担を軽減することが可能となる。
【００２８】
第３実施形態の棺桶１では、図１２に示すように、指先掛止部５を、所定の間隔を隔てて設けた長手Ｌ方向の寸法が小さい例えば１０個の掛止溝７Ａと、短手Ｗ方向の寸法が小さい例えば２個の掛止溝７Ｂで構成してもよい。さらに、図１３に示すように、指先掛止部５を、所定の間隔を隔てて設けた長手Ｌ方向の寸法が小さい例えば１０個の掛止溝７Ａのみで構成してもよい。
【００２９】
つぎに、第４実施形態の棺桶について説明する。
図１４は本考案に係る棺桶の第４実施形態の底面図、図１５は第４実施形態の断面図で、（ａ）は図２のＡーＡ線に沿う縦断正面図、（ｂ）は図２のＢーＢ線に沿う横断側面図である。なお、前記第１，第２，第３実施形態の棺桶１と同一部分には同一符号を付して重複する説明は適宜省略する。
【００３０】
図１、図１４および図１５（ａ），（ｂ）において、第４実施形態の棺桶１は、底板２の下面２Ａと、各側板３，３の下面３Ａおよび各面板４，４の下面４Ａからなる棺桶１の下面１Ａが水平である。指先掛止部５は、底板２の左右両端部近傍の下面２Ａに長手Ｌ方向に延在して設けた半径３ｍｍ〜５ｍｍの略半円状で上向きに凹入する掛止溝７Ａと、底板２の前後両端部近傍の下面２Ａに短手Ｗ方向に延在して設けた半径３ｍｍ〜５ｍｍの略半円状で上向きに凹入する掛止溝７Ｂとで構成されている。
【００３１】
前記第４実施形態の棺桶１によれば、複数の支持要員の支持指を、一方の掛止溝７Ａと他方の掛止溝７Ｂとで構成した指先掛止部５に掛止すれば、棺桶１の下面１Ａと支持指との間に横方向の滑りによる相対移動が発生しない状態で棺桶１を支持することができる。これにより、支持要員の支持による移動が容易になされ、支持要員の負担を軽減することが可能となる。
【００３２】
第４実施形態の棺桶１は、図１６に示すように、指先掛止部５を、一方の掛止溝７Ａのみで構成してもよい。言い換えると、指先掛止部５は、少なくとも底板２の左右両端部近傍の下面２Ａに長手Ｌ方向に延在して設けた上向きに凹入する掛止溝７Ａのみで構成されている。このように、指先掛止部５を掛止溝７Ａのみで構成しても、複数の支持要員の支持指を、掛止溝７Ａのみで構成した指先掛止部５に掛止すれば、前述と同様に、支持要員の支持による移動が容易になされ、支持要員の負担を軽減することが可能となる。
【００３３】
第４実施形態の棺桶１では、図１７に示すように、指先掛止部５を、所定の間隔を隔てて設けた長手Ｌ方向の寸法が小さい例えば１０個の掛止溝７Ａと、短手Ｗ方向の寸法が小さい例えば２個の掛止溝７Ｂで構成してもよい。さらに、図１８に示すように、指先掛止部５を、所定の間隔を隔てて設けた長手Ｌ方向の寸法が小さい例えば１０個の掛止溝７Ａのみで構成してもよい。
【００３４】
本考案に係る棺桶１は、その趣旨および技術思想を逸脱しない範囲であれば、構造変形が可能である。
【産業上の利用可能性】
【００３５】
本考案の棺桶は、被葬者が納棺された棺桶の出棺等に際する移動を、複数縁故者などの支持要員の支持で行うのに有用である。
【符号の説明】
【００３６】
１  棺桶
１Ａ  棺桶の下面
２  底板
２Ａ  底板の下面
３  側板
３Ａ  側板の下面
３Ｅ  側板の下端部
３ｉ  側板の下端部内面
４  面板
４Ａ  面板の下面
３Ｅ  面板の下端部
３ｉ  面板の下端部内面
５  指先掛止部
６  面取り
７Ａ  掛止溝
７Ｂ  掛止溝
【図１】
0003213793.tif 000003
【図２】
0003213793.tif 000004
【図３】
0003213793.tif 000005
【図４】
0003213793.tif 000006
【図５】
0003213793.tif 000007
【図６】
0003213793.tif 000008
【図７】
0003213793.tif 000009
【図８】
0003213793.tif 000010
【図９】
0003213793.tif 000011
【図１０】
0003213793.tif 000012
【図１１】
0003213793.tif 000013
【図１２】
0003213793.tif 000014
【図１３】
0003213793.tif 000015
【図１４】
0003213793.tif 000016
【図１５】
0003213793.tif 000017
【図１６】
0003213793.tif 000018
【図１７】
0003213793.tif 000019
【図１８】
0003213793.tif 000020